(57)【特許請求の範囲】
【請求項１】
ボーリング孔の孔壁を保護する保護ケーシングと、
前記ボーリング孔の下部の採水区間あるいはボーリング孔の途中に設けられた止水パッカーによって形成された採水区間に設けられ、上部に採水ラバーディスクを有した採水ポートをもつ採水ポート部と、
前記採水ポートから前記採水区間の地下水を採水するサンプリングプローブと、
前記保護ケーシングの内側に設けられ、前記サンプリングプローブを地上と前記採水ポートとの間をガイドする内側ケーシングと、
を備え、
前記サンプリングプローブは、下部に容器側ラバーディスクが設けられた固定形状の採水容器内に、前記採水ラバーディスクと前記容器側ラバーディスクとの間が接続されて前記採水ポートから地下水を採水する際に採水前の容器内容量がゼロ状態の袋状採水容器が設けられたことを特徴とする地下水サンプリング装置。
【請求項２】
ボーリング孔の下部の採水区間あるいはボーリング孔の途中に設けられた止水パッカーによって形成された採水区間から地下水を採水するサンプリングプローブであって、
前記サンプリングプローブは、固定形状の採水容器内に、地下水を採水する際に採水前の容器内容量がゼロ状態の袋状採水容器が設けられていることを特徴とするサンプリングプローブ。
【請求項３】
ボーリング孔の下部の採水区間あるいはボーリング孔の途中に設けられた止水パッカーによって形成された採水区間から地下水を採水するサンプリングプローブを用いた地下水サンプリング方法であって、
前記サンプリングプローブは、固定形状の採水容器内に、地下水を採水する際に採水前の容器内容量がゼロ状態の袋状採水容器が設けられ、地下水圧によって前記地下水を前記袋状採水容器内に流入させることを特徴とする地下水サンプリング方法。
【発明の詳細な説明】
【技術分野】
【０００１】
本発明は、採水時の地下水の状態変化を最小限に抑えて地下水サンプリングを行うことができる地下水サンプリング装置、サンプリングプローブ、および地下水サンプリング方法に関する。
【背景技術】
【０００２】
従来から、地下水や海水のサンプリング方法については多くの方法が用いられている。最も簡易なベーラー式採水方法は、ベーラーと呼ばれる採水容器を井戸内に降下させ、井戸内の地下水を汲み上げるものである。このベーラー式採水方法では、井戸内の深度ごとに採水可能な装置も開発されている。しかし、サンプリングされる地下水は、スクリーン深度の地下水頭による井戸内の滞留水であり、真の地下水とみなすことが難しい場合がある。
【０００３】
一方、井戸内の深部地下水や深海の海水サンプリングなどには、ＢＡＴ式採水方法がある。このＢＡＴ式採水方法は、採水時に真空にされたサンプリング容器を用いるのが一般的である（特許文献１参照）。
【０００４】
なお、特許文献２には、止水パッカーを設け、試験区間から地盤にトレーサ液を注入し、その後、トレーサ液を含む地下水を揚水するトレーサ試験方法が記載されている。このトレーサ試験は、高レベル放射性廃棄物の地層処分の安全性評価や一般廃棄物処分場周辺の地下水汚染の評価を行うものである。
【先行技術文献】
【特許文献】
【０００５】
【特許文献１】特公昭６１−５２４１５号公報
【特許文献２】特開２０１０−２５７５７号公報
【発明の概要】
【発明が解決しようとする課題】
【０００６】
ところで、従来のベーラー式採水方法では、採水された地下水が大気圧に開放されるため、高圧水の場合、遊離ガスが発生し、酸化還元変化（ORP：Oxidation-reduction Potential）等が発生する場合がある。一方、ＢＡＴ式採水方法では、真空にされたサンプリング容器内に地下水を流入させて採水するようにしているため、地下水圧が高い場合、サンプリング時の減圧に伴って遊離ガスが発生する場合がある。すなわち、従来の地下水サンプリング方法では、採水時の地下水の状態が変化してしまい、精度の高い地下水サンプリングを行うことができない場合があった。
【０００７】
本発明は、上記に鑑みてなされたものであって、採水時の地下水の状態変化を最小限に抑えて地下水サンプリングを行うことができる地下水サンプリング装置、サンプリングプローブ、および地下水サンプリング方法を提供することを目的とする。
【課題を解決するための手段】
【０００８】
上述した課題を解決し、目的を達成するために、本発明にかかる地下水サンプリング装置は、ボーリング孔の孔壁を保護する保護ケーシングと、前記ボーリング孔の下部の採水区間あるいはボーリング孔の途中に設けられた止水パッカーによって形成された採水区間に設けられ、上部に採水ラバーディスクを有した採水ポートをもつ採水ポート部と、前記採水ポートから前記採水区間の地下水を採水するサンプリングプローブと、前記保護ケーシングの内側に設けられ、前記サンプリングプローブを地上と前記採水ポートとの間をガイドする内側ケーシングと、を備え、前記サンプリングプローブは、下部に容器側ラバーディスクが設けられた固定形状の採水容器内に、前記採水ラバーディスクと前記容器側ラバーディスクとの間が接続されて前記採水ポートから地下水を採水する際に採水前の容器内容量がゼロ状態の袋状採水容器が設けられたことを特徴とする。
【０００９】
また、本発明にかかる地下水サンプリング装置は、上記の発明において、前記採水容器は、パウチ加工された袋であることを特徴とする。
【００１０】
また、本発明にかかる地下水サンプリング装置は、上記の発明において、前記サンプリングプローブは、前記採水容器と底部との間で該サンプリングプローブ内を摺動し、前記容器側ラバーディスクに挿入可能に立設した上部注射針と前記採水ラバーディスクに挿入可能に立設して前記上部注射針に連通する下部注射針とを有したガイドディスクと、前記容器側ラバーディスクと前記ガイドディスクとの間に設けられた上部伸長ばねと、前記採水ラバーディスクと前記ガイドディスクとの間に設けられ前記上部伸長ばねに比して伸長ばね力が弱い下部伸長ばねと、を備え、前記地下水の採取時は、前記採水容器の下降に伴い、前記下部注射針が前記採水ラバーディスクを貫通し、その後前記上部注射針が前記容器側ラバーディスクを貫通することを特徴とする。
【００１１】
また、本発明にかかる地下水サンプリング装置は、上記の発明において、前記下部注射針は、複数であり、各下部注射針は、前記ガイドディスクの中心位置からずらして配置されることを特徴とする。
【００１２】
また、本発明にかかる地下水サンプリング装置は、上記の発明において、前記サンプリングプローブは、該サンプリングプローブの下部に、前記採水ポートに設けられた被係合部に係合する係合部を有し、前記地下水の採取時、前記採水容器の下降に伴い、前記下部注射針の前記採水ラバーディスクへの貫通前に前記係合部が前記被係合部に係合することを特徴とする。
【００１３】
また、本発明にかかる地下水サンプリング装置は、上記の発明において、前記サンプリングプローブは、該サンプリングプローブの下部先端を保護する保護部材を設けたことを特徴とする。
【００１４】
また、本発明にかかるサンプリングプローブは、ボーリング孔の下部の採水区間あるいはボーリング孔の途中に設けられた止水パッカーによって形成された採水区間から地下水を採水するサンプリングプローブであって、前記サンプリングプローブは、固定形状の採水容器内に、地下水を採水する際に採水前の容器内容量がゼロ状態の袋状採水容器が設けられていることを特徴とする。
【００１５】
また、本発明にかかるサンプリングプローブは、上記の発明において、前記採水容器と底部との間で前記サンプリングプローブ内を摺動し、前記採水容器の下部に設けられた容器側ラバーディスクに挿入可能に立設した上部注射針と前記採水区間の採水ポートに設けられた採水ラバーディスクに挿入可能に立設して前記上部注射針に連通する下部注射針とを有したガイドディスクと、前記容器側ラバーディスクと前記ガイドディスクとの間に設けられた上部伸長ばねと、前記採水ラバーディスクと前記ガイドディスクとの間に設けられ前記上部伸長ばねに比して伸長ばね力が弱い下部伸長ばねと、を備え、前記地下水の採取時は、前記採水容器の下降に伴い、前記下部注射針が前記採水ラバーディスクを貫通し、その後前記上部注射針が前記容器側ラバーディスクを貫通することを特徴とする。
【００１６】
また、本発明にかかるサンプリングプローブは、上記の発明において、前記下部注射針は、複数であり、各下部注射針は、前記ガイドディスクの中心位置からずらして配置されることを特徴とする。
【００１７】
また、本発明にかかるサンプリングプローブは、上記の発明において、前記サンプリングプローブの下部に、前記採水ポートに設けられた被係合部に係合する係合部を有し、前記地下水の採取時、前記採水容器の下降に伴い、前記下部注射針の前記採水ラバーディスクへの貫通前に前記係合部が前記被係合部に係合することを特徴とする。
【００１８】
また、本発明にかかるサンプリングプローブは、上記の発明において、前記サンプリングプローブの下部先端を保護する保護部材を設けたことを特徴とする。
【００１９】
また、本発明にかかる地下水サンプリング方法は、ボーリング孔の下部の採水区間あるいはボーリング孔の途中に設けられた止水パッカーによって形成された採水区間から地下水を採水する地下水サンプリング方法であって、前記サンプリングプローブは、固定形状の採水容器内に、地下水を採水する際に採水前の容器内容量がゼロ状態の袋状採水容器が設けられ、地下水圧によって前記地下水を前記袋状採水容器内に流入させることを特徴とする。
【００２０】
また、本発明にかかる地下水サンプリング方法は、上記の発明において、前記サンプリングプローブは、前記採水容器と底部との間で前記サンプリングプローブ内を摺動し、前記採水容器の下部に設けられた容器側ラバーディスクに挿入可能に立設した上部注射針と前記採水区間の採水ポートに設けられた採水ラバーディスクに挿入可能に立設して前記上部注射針に連通する下部注射針とを有したガイドディスクと、前記容器側ラバーディスクと前記ガイドディスクとの間に設けられた上部伸長ばねと、前記採水ラバーディスクと前記ガイドディスクとの間に設けられ前記上部伸長ばねに比して伸長ばね力が弱い下部伸長ばねと、を備え、前記地下水の採取時は、前記採水容器を下降させ、前記下部注射針を前記採水ラバーディスクに貫通させ、その後前記上部注射針を前記容器側ラバーディスクに貫通させることを特徴とする。
【００２１】
また、本発明にかかる地下水サンプリング方法は、上記の発明において、前記下部注射針は、複数であり、各下部注射針は、前記ガイドディスクの中心位置からずらして配置させ、前記地下水の採取ごとに前記採水ラバーディスクへの挿入位置を変えることを特徴とする。
【００２２】
また、本発明にかかる地下水サンプリング方法は、上記の発明において、前記サンプリングプローブの下部に、前記採水ポートに設けられた被係合部に係合する係合部を有し、前記地下水の採取時、前記採水容器の下降に伴い、前記下部注射針の前記採水ラバーディスクへの貫通前に前記係合部を前記被係合部に係合させることを特徴とする。
【発明の効果】
【００２３】
本発明によれば、固定形状の採水容器内に、地下水を採水する容器内容量がゼロ状態の袋状採水容器が設けられ、地下水圧によって前記地下水を前記袋状採水容器内に流入させるサンプリングプローブを用いているので、採水時の地下水の状態変化を最小限に抑えて地下水サンプリングを行うことができる。
【図面の簡単な説明】
【００２４】
【図１】図１は、本発明の実施の形態である地下水サンプリング装置の全体構成の断面を模式的に示した図である。
【図２】図２は、採水ポート部の詳細構成の断面を示す模式図である。
【図３】図３は、サンプリングプローブの詳細構成の断面を示す模式図である。
【図４】図４は、ガイドディスクおよびガイドディスクに設けられる上部注射針と下部注射針の構成を示す図である。
【図５】図５は、サンプリングプローブの反力用フックが被係合部に係合した状態を示す図である。
【図６】図６は、サンプリングプローブの下部注射針が採水ラバーディスクを貫通している状態を示す図である。
【図７】図７は、サンプリングプローブの上部注射針が容器側ラバーディスクを貫通している状態を示す図である。
【図８】図８は、異なる深度ごとに保護ケーシングと内側ケーシングとを設けた状態を示す図である。
【図９】図９は、１つの保護ケーシング内で２つの内側ケーシングを用いて異なる深度の地下水サンプリングを行う状態を示す図である。
【図１０】図１０は、１つの保護ケーシング内で、１つの深度に対して、採水用の内側ケーシングと水位観測用の内側ケーシングを設けた場合を示す図である。
【図１１】図１１は、１つの保護ケーシング内で、２つの深度に対して、採水用の内側ケーシングと水位観測用の内側ケーシングをそれぞれ設けた場合を示す図である。
【発明を実施するための形態】
【００２５】
以下、添付図面を参照して本発明を実施するための形態について説明する。
【００２６】
（全体構成）
図１は、本発明の実施の形態である地下水サンプリング装置１の全体構成の断面を模式的に示した図である。図１に示すように、地下水サンプリング装置１は、採水対象層Ｅまでボーリングしたボーリング孔１０の孔壁を保護する保護ケーシング１１を有する。ボーリング孔１０と保護ケーシング１１との間には、粘土系シール材１２が満たされる。ボーリング孔１０の下部の採水区間Ｅ１の上部には、採水ポート部１３が配置される。また、採水ポート部１３の上部であって、保護ケーシング１１の内側には、サンプリングプローブを地上と採水ポート部１３との間をガイドする内側ケーシング１５が設けられる。サンプリングプローブ１７は、採水区間Ｅ１の地下水を、採水ポート部１３を介して採水する。サンプリングプローブ１７は、ケーブル１６によって地上に配置された制御装置１８に接続される。ケーブル１６は、所定の引っ張り強度を有し、サンプリングプローブ１７を吊り下げる機能を有する。また、ケーブル１６は、電源線および通信制御線を含む。
【００２７】
図１に示すように、保護ケーシング１１の下端を採水区間Ｅ１の下端まで伸ばし、保護ケーシング１１の側壁と、採水区間Ｅ１の上端に設けられた採水ポート部１３とを連結する接続チューブ１４を設け、保護ケーシング１１直下の採水区間Ｅ１外から地下水を採水する。また、保護ケーシング１１を採水区間Ｅ１の上端までとし、採水区間Ｅ１のボーリング孔１０に砂等の透水性材料で埋め戻し、地下水の移動を妨げない状態として、採水区間Ｅ１内の地下水を採水ポート部１３で採水する。
【００２８】
（採水ポート部）
図２は、採水ポート部１３の詳細構成の断面を示す模式図である。図２に示すように、採水ポート部１３は、保護ケーシング１１の底部に設けられた螺合部２２を介して着脱可能である。この採水ポート部１３の着脱は、ボーリングマシン等の先端部を係合穴２３に係合させ、採水ポート部１３を回動することによって行われる。採水ポート部１３には、地下水が採水される採水孔２０ａからの地下水圧に耐え得る耐水圧性の採水ラバーディスク２０が設けられている。上述した採水ポート部１３の着脱は、主として採水ラバーディスク２０の交換作業のためである。なお、採水ポート部１３には、後述するサンプリングプローブ１７の下端に設けられた係合部である反力用フック４０が係合する被係合部２１を有する。
【００２９】
（サンプリングプローブ）
図３は、サンプリングプローブ１７の詳細構成の断面を示す模式図である。図３に示すように、プローブ筐体１９の上端には、シリンダ５０から送り出されるピストン５１が上下動する。シリンダ５０は、エアシリンダでもよいし、油等の液圧シリンダでもよいし、図示しないモータでピストン５１を動作させてもよい。
【００３０】
プローブ筐体１９は、上部側から、採水容器３０、スペーサ３６、上部伸長ばね２４、ガイドディスク３３、下部伸長ばね２５が順次下部側に向けて配置され、底部に先端部保護シート３８が設けられる。プローブ筐体１９の底部周縁には、サンプリングプローブ１７の下部先端を保護する保護部材３９が設けられる。保護部材３９は、衝撃等を吸収する弾性部材であり、例えば、ラバーやばねなどで構成される。
【００３１】
採水容器３０の上端は、ピストン５１の先端に当接する。プローブ筐体１９および採水容器３０は、例えばステンレスで形成される。採水容器３０の下端は、スペーサ３６に当接する。採水容器３０は、固定形状であり、内部に袋状採水容器３１を有する。袋状採水容器３１の採水口は、採水容器３０の下端に設けた容器側ラバーディスク３２である。袋状採水容器３１は、採水前は、容器内容量がゼロ状態となっている。袋状採水容器３１は、パウチ加工による多重構造をなしている。袋状採水容器３１は、遮光機能を有することが好ましい。
【００３２】
スペーサ３６とガイドディスク３３との間には、上部伸長ばね２４が配置される。また、ガイドディスク３３とプローブ筐体１９の底部との間には、下部伸長ばね２５が配置される。ガイドディスク３３は、プローブ筐体１９内を上下に摺動可能である。ガイドディスク３３は、スペーサ３６に設けられた挿通孔３７を介して容器側ラバーディスク３２に挿入可能に立設した上部注射針３４と、先端部保護シート３８を介して採水ラバーディスク２０に挿入可能に、下部方向に立設して上部注射針３４に連通する複数の下部注射針３５とを有する。
【００３３】
上部伸長ばね２４の伸長ばね力は、下部伸長ばね２５の伸長ばね力よりも大きい。したがって、採水容器３０が下降すると、最初に下部伸長ばね２５が縮小し、その後上部伸長ばね２４が縮小する。
【００３４】
プローブ筐体１９の底部内側には、反力用フック４０の回動軸４１が設けられ、反力用フック４０は、回動軸４１に巻かれたコイルばね４２によって下部側が径方向外側に開くように付勢される。なお、図４に示すように、ガイドディスク３３は、上部外側に向かって傾斜する傾斜部４３を有する。反力用フック４０は、ガイドディスク３３の下降に伴って、反力用フック４０の上端が傾斜部に沿って外側にスライドし、下端が内側に向かって移動する。これによって、反力用フック４０は、採水ポート部１３の被係合部２１に係合する。
【００３５】
図３に示すように、上部注射針３４は、ガイドディスク３３の中心位置に配置される。一方、３つの下部注射針３５は、ガイドディスク３３の中心位置からずらして配置される。複数の下部注射針３５は、採水ごとに、採水ラバーディスク２０を貫通するが、複数の下部注射針３５の配置を中心位置からずらすことによって、採水ごとに下部注射針３５の貫通位置が異なるようになる。これによって、採水ラバーディスク２０の損傷が低減され、採水ラバーディスクの寿命を長くすることができる。
【００３６】
（採水動作）
ここで、図５〜図７を参照してサンプリングプローブの採水動作について説明する。なお、採水開始前の袋状採水容器３１の内容量はゼロ状態である。まず、図３のピストン５１の位置から、図５に示すように、ピストン５１を下げると、採水容器３０、スペーサ３６、上部伸長ばね２４、ガイドディスク３３が一体となって下降し、下部伸長ばね２５が縮小する。ガイドディスク３３の下降に伴って、反力用フック４０が被係合部２１に係合する。なお、この状態では、下部注射針３５の下端は、採水ラバーディスク２０に到達していない。反力用フック４０は、サンプリングプローブ１７の下降時における採水ポート部１３への当接後の反力を抑える。また、反力用フック４０は、地下水圧によるサンプリングプローブ１７の上昇を抑えることができる。
【００３７】
その後、図６に示すように、さらにピストン５１を下降すると、下部伸長ばね２５がさらに縮小し、下部注射針３５が採水ラバーディスク２０を貫通する。この貫通によって、地下水圧によって、地下水は、下部注射針３５を介して上部注射針３４の先端から流出する。この流出によって、採水ポート部１３内の空間に淀んでいた死水、および、下部注射針３５と上部注射針３４内の空気が排出される。したがって、この状態を所定時間維持して、上述した死水や空気を確実に排出することが好ましい。
【００３８】
その後、図７に示すように、さらにピストン５１を下降すると、上部伸長ばね２４が縮小し、上部注射針３４が挿通孔３７を介して容器側ラバーディスク３２を貫通する。そして、地下水は、袋状採水容器３１内に満たされる。袋状採水容器３１内に地下水が満たされたか否かは、採水容器３０内に圧力センサなどのセンサを配置することによって、制御装置１８側に知らせることができる。
【００３９】
袋状採水容器３１内に地下水が満たされた場合、図５〜図７の動作を逆に行うことによって採水動作を終了することができる。すなわち、図７のピストン５１を上昇させると、まず上部伸長ばね２４の伸長ばね力によって上部注射針３４が容器側ラバーディスク３２から引き抜かれ、容器側ラバーディスク３２は、ラバーの弾性力によって上部注射針３４が貫通していた部分を閉塞する。この状態は、図６の状態と同じである。
【００４０】
さらに、図６の状態から、ピストン５１をさらに上昇させると、下部伸長ばね２５の伸長ばね力によって下部注射針３５が採水ラバーディスク２０から引き抜かれ、採水ラバーディスク２０は、ラバーの弾性力によって下部注射針３５が貫通していた部分を閉塞する。この状態は、図５の状態と同じであり、地下水の流出は止められる。その後、さらにピストン５１を上昇させることによって、反力用フック４０の係合が外れる。
【００４１】
その後、ケーブル１６を地上側に引いて、サンプリングプローブ１７を地上に持ち上げる。その後、サンプリングプローブ１７内から、袋状採水容器３１内に地下水が満たされた採水容器３０を取り出し、さらに採水容器３０から袋状採水容器３１を取り出すことによって地下水のサンプリング処理が終了する。なお、袋状採水容器３１は、容器側ラバーディスク３２に取り付けてあることが好ましい。
【００４２】
ここで、袋状採水容器３１は、耐圧性能を有するパウチ加工が施されている。袋状採水容器３１は、大気圧下では、容器内容量がゼロの圧縮状態であり、地下水圧によって容器内に地下水が流入する。従来は、真空容器による吸引によって地下水を採水していたが、本実施の形態では、従来に比して、地下水圧の減圧量が低減されるため、採水後の地下水の溶存ガスの溶出等を低減することができる。
【００４３】
また、袋状採水容器３１内には、空気が残らないため、空気に触れることなく、採水することができる。また、地下水の溶存ガスを溶存状態で採取することができる。すなわち、本実施の形態では、現位置での採取時の地下水圧条件を大きく変化することなく、かつ、大気に触れない状態で地下水をサンプリングすることができる。
【００４４】
さらに、袋状採水容器３１は、密閉状態で採水されるため、採水後、大気や人に触れることがない。そして、袋状採水容器３１は、そのまま分析用のサンプル容器として取り扱うことが可能になる。したがって、簡単な操作で、品質の高い地下水をサンプリングすることができ、かつ、作業時間の短縮を図ることができる。
【００４５】
特に、放射性物質に汚染された地下水を採水する場合であっても、採水作業者は、地下水に直接触れる可能性がないため、採水作業者の被ばくリスクを低減することができる。
【００４６】
（変形例）
ところで、図８に示すように、採水深度が異なる場合、上述した地下水サンプリング装置１を各採水対象層Ｅ１１，Ｅ１２毎に設ければよい。この場合、採水対象層Ｅ１１に対する保護ケーシング６１ａの径は、採水対象層Ｅ１２に対する保護ケーシング６１ｂの径と同じである。また、採水対象層Ｅ１１に対する内側ケーシング６６ａの径は、採水対象層Ｅ１２に対する内側ケーシング６６ｂの径と同じである。
【００４７】
なお、図９に示すように、同一場所で、採水深度が異なる地下水サンプリングを行う場合。採水対象層Ｅ１１に対する内側ケーシング７６ａと採水対象層Ｅ１２に対する内側ケーシング７６ｂとを、１つの保護ケーシング７１内に設けることができる。この場合、採水対象層Ｅ１１に対する採水を行う際、止水パッカー７２，７３を用いる。
【００４８】
また、図１０に示すように、同一の保護ケーシング８１内に、採水用の内側ケーシング８６ａと、水位観測用の内側ケーシング８６ｂとを並列配置してもよい。この場合、内側ケーシング８６ａに対する採水位置Ｐ１と、内側ケーシング８６ｂの下部位置Ｐ２とを離して配置することが好ましい。内側ケーシング８６ｂ内の地下水は死水となるため、採水位置Ｐ１と下部位置Ｐ２とを離隔することによって、この死水を内側ケーシング８６ａ側で採水しないようにする。この離隔は、深度方向に離隔してもよいし、水平方向に離隔してもよい。
【００４９】
図１１は、図１０に対応し、同一の保護ケーシング９１内で、異なる深度においてそれぞれ、採水と水位観測とを行うものである。採水対象層Ｅ１１に対しては、採水用の内側ケーシング８６ａと水位観測用の内側ケーシング８６ｂとを並列配置し、採水対象層Ｅ１２に対しては、採水用の内側ケーシング８６ｃと水位観測用の内側ケーシング８６ｄとを並列配置している。図１１では、採水対象層Ｅ１１に対する採水および水位観測を行うため、採水対象層Ｅ１１に対する止水パッカー９２，９３を設けている。図１１においても、採水位置Ｐ１１と下部位置Ｐ１２とを離隔し、採水位置Ｐ２１と下部位置Ｐ２２とを離隔している。
【００５０】
なお、図１０および図１１において、採水位置と下部位置とを離隔するようにしていたが、保護ケーシング内の水位が上昇する時間帯や時期に採水を行うようにしてもよい。
【符号の説明】
【００５１】
１  地下水サンプリング装置
１０  ボーリング孔
１１  保護ケーシング
１２  粘土系シール材
１３  採水ポート部
１４  接続チューブ
１５  内側ケーシング
１６  ケーブル
１７  サンプリングプローブ
１８  制御装置
１９  プローブ筐体
２０  採水ラバーディスク
２０ａ  採水孔
２１  被係合部
２２  螺合部
２３  係合穴
３０  採水容器
３１  袋状採水容器
３２  容器側ラバーディスク
３３  ガイドディスク
３４  上部注射針
３５  下部注射針
３６  スペーサ
３７  挿通孔
３８  先端部保護シート
３９  保護部材
４０  反力用フック
４１  回動軸
４３  傾斜部
５０  シリンダ
５１  ピストン
Ｅ  採水対象層
Ｅ１  採水区間
【図１】
0006601765.tif 000002
【図２】
0006601765.tif 000003
【図３】
0006601765.tif 000004
【図４】
0006601765.tif 000005
【図５】
0006601765.tif 000006
【図６】
0006601765.tif 000007
【図７】
0006601765.tif 000008
【図８】
0006601765.tif 000009
【図９】
0006601765.tif 000010
【図１０】
0006601765.tif 000011
【図１１】
0006601765.tif 000012